(57)【特許請求の範囲】
【請求項１】
ワイヤレス通信の方法であって、
基準信号と制御データ信号とを含む結合信号を含む波形を生成すること、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信すること、ここにおいて、前記ＴＴＩの前記持続時間は、２シンボル持続時間である、と
を備え、前記波形を送信することは、前記ＴＴＩの第１のシンボル上で前記波形を送信することと、前記ＴＴＩの後続のＴＴＩにおいて異なるリソースブロック上で前記波形を送信することとを備え、前記異なるリソースブロックは、前記１つのリソースブロックとは異なる周波数のものである、方法。
【請求項２】
前記波形を生成することは、前記基準信号をベースシーケンスとして前記制御データ信号と結合することを備え、前記制御データ信号は、制御データと結合された前記ベースシーケンスを備える、
請求項１に記載の方法。
【請求項３】
前記制御データは、直交位相偏移変調（ＱＰＳＫ）コンスタレーションまたは１６−直交振幅変調（ＱＡＭ）コンスタレーションを使用して変調される、
請求項２に記載の方法。
【請求項４】
前記ＱＰＳＫコンスタレーションまたは前記１６−ＱＡＭコンスタレーションは、前記波形のピーク対平均電力比（ＰＡＰＲ）を低減するために選択される、
請求項３に記載の方法。
【請求項５】
前記制御データ中で不連続送信（ＤＴＸ）のフィードバックを示すために、前記ＱＰＳＫコンスタレーションまたは前記１６−ＱＡＭコンスタレーションを０に設定することをさらに備える、
請求項３に記載の方法。
【請求項６】
前記位相オフセットは、前記基準信号についての第１の位相オフセットと、前記制御データ信号についての第２の位相オフセットとを備え、前記第１の位相オフセットは、前記第２の位相オフセットと異なる、
請求項１に記載の方法。
【請求項７】
前記制御データ信号は、ハイブリッド自動再送／要求（ＨＡＲＱ）フィードバックを含む、
請求項１に記載の方法。
【請求項８】
ワイヤレス通信のためのユーザ機器であって、
トランシーバと、
バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサは、
基準信号と制御データ信号とを含む結合信号を含む波形を生成すること、ここにおいて、前記基準信号と前記制御データ信号とが前記波形において互いの位相オフセットである、と、
前記トランシーバを介して、サブフレーム未満の持続時間を有する送信時間間隔（ＴＴＩ）にわたって、１つのリソースブロック上で前記結合信号を含む前記波形を送信すること、ここにおいて、前記ＴＴＩの前記持続時間は、２シンボル持続時間である、と、
を行うように構成され、前記少なくともプロセッサは、前記ＴＴＩの第１のシンボル上で前記波形を送信することと、前記ＴＴＩの後続のＴＴＩにおいて異なるリソースブロック上で前記波形を送信することとを行うように構成され、前記異なるリソースブロックは、前記１つのリソースブロックとは異なる周波数のものである、ユーザ機器。
【請求項９】
前記少なくとも１つのプロセッサは、前記基準信号をベースシーケンスとして前記制御データ信号と結合することによって少なくとも部分的に、前記波形を生成するようにさらに構成され、前記制御データ信号は、制御データと結合された前記ベースシーケンスを備える、
請求項８に記載のユーザ機器。
【請求項１０】
前記制御データは、直交位相偏移変調（ＱＰＳＫ）コンスタレーションまたは１６−直交振幅変調（ＱＡＭ）コンスタレーションを使用して変調される、
請求項９に記載のユーザ機器。
【請求項１１】
前記波形のピーク対平均電力比（ＰＡＰＲ）を低減するために前記ＱＰＳＫコンスタレーションまたは前記１６−ＱＡＭコンスタレーションが選択される、
請求項１０に記載のユーザ機器。
【請求項１２】
前記少なくとも１つのプロセッサは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
請求項１０に記載のユーザ機器。
【請求項１３】
前記位相オフセットは、前記基準信号についての第１の位相オフセットと、前記制御データ信号についての第２の位相オフセットとを備え、前記第１の位相オフセットは、前記第２の位相オフセットと異なる、
請求項８に記載のユーザ機器。
【請求項１４】
前記制御データ信号は、ハイブリッド自動再送／要求（ＨＡＲＱ）フィードバックを含む、
請求項８に記載のユーザ機器。
【請求項１５】
通信のためのユーザ機器であって、
基準信号と制御データ信号とを含む結合信号を含む波形を生成するための手段、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信するための手段、ここにおいて、前記ＴＴＩの前記持続時間は、２シンボル持続時間である、と
を備え、前記波形を送信するための手段は、前記ＴＴＩの第１のシンボル上で前記波形を送信し、前記ＴＴＩの後続のＴＴＩにおいて異なるリソースブロック上で前記波形を送信し、前記異なるリソースブロックは、前記１つのリソースブロックとは異なる周波数のものである、ユーザ機器。
【請求項１６】
前記波形を生成するための手段は、前記基準信号をベースシーケンスとして前記制御データ信号と結合するようにさらに構成され、前記制御データ信号は、制御データと結合された前記ベースシーケンスを備える、
請求項１５に記載のユーザ機器。
【請求項１７】
前記制御データは、直交位相偏移変調（ＱＰＳＫ）コンスタレーションまたは１６−直交振幅変調（ＱＡＭ）コンスタレーションを使用して変調される、
請求項１６に記載のユーザ機器。
【請求項１８】
前記波形のピーク対平均電力比（ＰＡＰＲ）を低減するために前記ＱＰＳＫコンスタレーションまたは前記１６−ＱＡＭコンスタレーションが選択される、
請求項１７に記載のユーザ機器。
【請求項１９】
前記制御データ中で不連続送信（ＤＴＸ）のフィードバックを示すために前記ＱＰＳＫコンスタレーションまたは前記１６−ＱＡＭコンスタレーションを０に設定するための手段をさらに備える、
請求項１７に記載のユーザ機器。
【請求項２０】
前記位相オフセットは、前記基準信号についての第１の位相オフセットと、前記制御データ信号についての第２の位相オフセットとを備え、前記第１の位相オフセットは、前記第２の位相オフセットと異なる、
請求項１５に記載のユーザ機器。
【請求項２１】
コンピュータ実行可能コードを備えるコンピュータ可読記憶媒体であって、前記コンピュータ実行可能コードは、
基準信号と制御データ信号とを含む結合信号を含む波形を生成するためのコード、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信するためのコード、ここにおいて、前記ＴＴＩの前記持続時間は、２シンボル持続時間である、と
を備え、前記波形を送信するためのコードは、前記ＴＴＩの第１のシンボル上で前記波形を送信し、前記ＴＴＩの後続のＴＴＩにおいて異なるリソースブロック上で前記波形を送信し、前記異なるリソースブロックは、前記１つのリソースブロックとは異なる周波数のものである、非一時的コンピュータ可読記憶媒体。
【請求項２２】
前記コードは、前記基準信号をベースシーケンスとして前記制御データ信号とさらに結合し、前記制御データ信号は、制御データと結合された前記ベースシーケンスを備える、
請求項２１に記載の非一時的コンピュータ可読記憶媒体。
【請求項２３】
前記制御データは、直交位相偏移変調（ＱＰＳＫ）コンスタレーションまたは１６−直交振幅変調（ＱＡＭ）コンスタレーションを使用して変調される、
請求項２２に記載の非一時的コンピュータ可読記憶媒体。
【請求項２４】
前記波形のピーク対平均電力比（ＰＡＰＲ）を低減するために前記ＱＰＳＫコンスタレーションまたは前記１６−ＱＡＭコンスタレーションが選択される、
請求項２３に記載の非一時的コンピュータ可読記憶媒体。
【請求項２５】
前記コードは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
請求項２３に記載の非一時的コンピュータ可読記憶媒体。
【請求項２６】
前記位相オフセットは、前記基準信号についての第１の位相オフセットと、前記制御データ信号についての第２の位相オフセットとを備え、前記第１の位相オフセットは、前記第２の位相オフセットと異なる、
請求項２１に記載の非一時的コンピュータ可読記憶媒体。
【発明の詳細な説明】
【関連出願の相互参照】
【０００１】
[0001]本出願は、２０１４年１２月２３日に出願された「ＳＩＮＧＬＥ  ＳＹＭＢＯＬ  ＴＲＡＮＳＭＩＳＳＩＯＮ  ＯＦ  ＣＯＮＴＲＯＬ  ＤＡＴＡ  ＩＮ  ＷＩＲＥＬＥＳＳ  ＣＯＭＭＵＮＩＣＡＴＩＯＮＳ」という名称の仮出願第６２／０９６，４０２号、および２０１５年１１月１９日に出願された「ＳＩＮＧＬＥ  ＴＴＩ  ＴＲＡＮＳＭＩＳＳＩＯＮ  ＯＦ  ＣＯＮＴＲＯＬ  ＤＡＴＡ  ＩＮ  ＷＩＲＥＬＥＳＳ  ＣＯＭＭＵＮＩＣＡＴＩＯＮＳ」という名称の米国特許出願第１４／９４６，４４８号に対する優先権を主張するものであり、これらの出願は、その全体が参照により本明細書に明確に組み込まれる。
【背景技術】
【０００２】
[0002]本明細書では、一般に、通信システムに関する態様、より詳細には、ワイヤレス通信における制御データの送信に関する態様について説明される。
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを提供するために様々な電気通信規格において採用されてきた。電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションシステム（ＵＭＴＳ）のモバイル規格の拡張のセットである。ＬＴＥは、スペクトル効率を改善することによってモバイルブロードバンドインターネットアクセスをより良好にサポートすることと、コストを下げることと、サービスを改善することと、新しいスペクトルを利用することと、ダウンリンク（ＤＬ）上ではＯＦＤＭＡ、アップリンク（ＵＬ）上ではＳＣ−ＦＤＭＡ、また多入力多出力（ＭＩＭＯ）アンテナ技術を使用して他のオープン規格とより良好に統合することとを行うように設計される。しかしながら、モバイルブロードバンドアクセスに対する需要が増大し続けるにつれて、ＬＴＥ技術のさらなる改善が必要である。好ましくは、これらの改善は、他の多元接続技術、およびこれらの技術を採用する電気通信規格に適用可能であるべきである。
【０００５】
[0005]レガシーＬＴＥを採用するワイヤレス通信システムでは、特定の発展型ＮｏｄｅＢ（ｅＮＢ）によってサービスされる複数のＵＥが、１ミリ秒程度のサブフレーム上の送信時間間隔（ＴＴＩ）を用いて１つまたは複数のチャネルを介してｅＮＢと通信するためのリソースをスケジュールされ得る。ＵＥ能力および帯域幅に対する需要が増大するにつれて、通信におけるより低いレイテンシが望まれ得る。
【発明の概要】
【０００６】
[0006]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図されていない。その唯一の目的は、後に提示されるより詳細な説明の導入として、１つまたは複数の態様のいくつかの概念を簡略化された形で提示することである。
【０００７】
[0007]一例によれば、ワイヤレス通信の方法が提供される。この方法は、結合された基準信号と制御データ信号とを含む波形を生成することを含む。基準信号と制御データ信号とは、波形において互いの位相オフセットされている。方法はさらに、サブフレーム未満の持続時間を有する送信時間間隔（ＴＴＩ）において１つのリソースブロック上で波形を送信することを含む。
【０００８】
[0008]他の態様では、ワイヤレス通信のためのユーザ機器が提供される。ユーザ機器は、トランシーバと、バスを介してトランシーバと通信可能に結合された少なくとも１つのプロセッサと、バスを介して少なくとも１つのプロセッサおよび／またはトランシーバと通信可能に結合されたメモリとを含む。少なくとも１つのプロセッサは、結合された基準信号と制御データ信号とを含む波形を生成するように構成されてよい。基準信号と制御データ信号とは、波形において互いの位相オフセットされている。少なくとも１つのプロセッサはさらに、トランシーバを介して、サブフレーム未満の持続時間を有するＴＴＩにおいて１つのリソースブロック上で波形を送信するように構成されてよい。
【０００９】
[0009]別の例では、ワイヤレス通信のためのユーザ機器が提供される。このユーザ機器は、結合された基準信号と制御データ信号とを含む波形を生成するための手段を備える。基準信号と制御データ信号とは、波形において互いの位相オフセットされている。ユーザ機器はさらに、サブフレーム未満の持続時間を有するＴＴＩにおいて１つのリソースブロック上で波形を送信するための手段を備える。
【００１０】
[0010]他の態様では、ワイヤレス通信のためのコンピュータ実行可能コードを含むコンピュータ可読記憶媒体が提供される。このコードは、結合された基準信号と制御データ信号とを含む波形を生成するためのコードを含む。基準信号と制御データ信号とは、波形において互いの位相オフセットである。コードはさらに、サブフレーム未満の持続時間を有する送信時間間隔（ＴＴＩ）において１つのリソースブロック上で波形を送信するためのコードを含む。
【００１１】
[0011]上記の目的および関連する目的を達成するために、１つまたは複数の態様は、以下で十分に説明され、特に特許請求の範囲において指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むことが意図されている。
【図面の簡単な説明】
【００１２】
【図１】本明細書で説明される態様による、電気通信システムの一例を概念的に示すブロック図。
【図２】アクセスネットワークの一例を示す図。
【図３】アクセスネットワークにおける発展型ＮｏｄｅＢおよびユーザ機器の一例を示す図。
【図４】アップリンク帯域幅割振りの例示的なタイムラインを示す図。
【図５】本明細書で説明される態様による、結合された基準信号と制御データ信号とを通信するための例示的なシステムを示す図。
【図６】結合された基準信号と制御データ信号とを通信するための例示的な方法のフローチャート。
【図７】結合された基準信号と制御データ信号とを受信するための例示的な方法のフローチャート。
【発明を実施するための形態】
【００１３】
[0019]添付の図面に関して以下に記載される詳細な説明は、様々な構成の説明として意図されており、本明細書で説明される概念が実施され得る唯一の構成を表すことは意図されていない。詳細な説明は、様々な概念の完全な理解を提供する目的で、具体的な詳細を含む。しかしながら、これらの概念がこれらの具体的な詳細なしに実施され得ることが、当業者に明らかであろう。場合によっては、そのような概念を曖昧にすることを回避するために、よく知られている構造および構成要素がブロック図の形態で示される。
【００１４】
[0020]ここで、様々な装置および方法を参照しながら電気通信システムのいくつかの態様が提示される。これらの装置および方法が、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１５】
[0021]例として、要素、または要素の任意の部分、または要素の任意の組合せが、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の適切なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味すると広く解釈されるものとする。
【００１６】
[0022]したがって、１つまたは複数の態様では、説明される機能は、ハードウェア、ソフトウェア、ファームウェア、またはそれらの任意の組合せで実装され得る。ソフトウェアで実装される場合、機能は、コンピュータ可読媒体上に記憶されるか、またはコンピュータ可読媒体上に１つもしくは複数の命令もしくはコードとして符号化され得る。コンピュータ可読媒体は、コンピュータ記憶媒体を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を備えることができる。本明細書で使用されるときに、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は通常、データを磁気的に再生し、ディスク（disc）は、データをレーザーで光学的に再生する。上記の組合せもコンピュータ可読媒体の範囲内に含まれるべきである。
【００１７】
[0023]本明細書では、より低いレイテンシを対象とするワイヤレス技術において、制御データ（たとえば、アップリンク制御情報（ＵＣＩ）、ダウンリンク制御情報（ＤＣＩ）など）を送信することに関係する様々な態様について説明される。たとえば、より低レイテンシのワイヤレス技術は、既存の（たとえばレガシー）ワイヤレス技術よりも相対的に短い送信時間間隔（ＴＴＩ）に基づく場合がある。１つの具体例では、１ミリ秒（ｍｓ）（たとえば１サブフレームに対応する）のＴＴＩに基づくロングタームエボリューション（ＬＴＥ）において、超低レイテンシ（ＵＬＬ）ＬＴＥと呼ばれる、より低レイテンシのワイヤレス技術が、サブフレーム未満の持続時間（たとえば、１シンボルまたは２シンボルまたはサブフレームスロットなどの持続時間）を有するＴＴＩに基づくものとして定義されることが可能である。これに関し、より短い、より頻繁なＴＴＩによって、通信におけるより低いレイテンシが達成される。そのようなより低レイテンシのワイヤレス技術で使用されるシグナリングリソースをさらに減らすために、本明細書では、制御データ信号の復号のための基準信号とともに制御データ信号を含む結合信号を、ＴＴＩ（たとえば、１シンボルまたは２シンボルまたはスロットなどの持続時間のＴＴＩ）において１つのリソースブロックにわたって単一送信することについて説明される。したがって、結合信号の単一送信を受信するエンティティは、制御データ信号を復号する際に基準信号を使用することができ、結合信号は単一のＴＴＩにおいて送受信される。
【００１８】
[0024]最初に図１を参照すると、図は、本明細書で説明される態様による、ワイヤレス通信システム１００の一例を示している。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、シンボル処理構成要素３０２を含み得、このシンボル処理構成要素３０２は、本明細書でさらに説明されるように、単一シンボルにおいてまたはサブフレーム未満の他の持続時間（たとえばＴＴＩ）において１つまたは複数のＵＥ１１５から受信された、基準信号と制御データ信号とを含む結合信号を復号するように構成される。同様に、ＵＥ１１５のうちの１つまたは複数は、通信構成要素３６１を含み得、この通信構成要素３６１は、単一シンボルにわたってまたはサブフレーム未満の他の持続時間（たとえばＴＴＩ）にわたってアクセスポイント１０５に送信するための、基準信号と制御データ信号とを含む結合信号を生成するように構成される。アクセスポイント１０５のうちのいくつかは、基地局コントローラ（図示されず）の制御によりＵＥ１１５と通信し得、基地局コントローラは、様々な例では、コアネットワーク１３０の一部であり得、またはある種のアクセスポイント１０５（たとえば、基地局もしくはｅＮＢ）であり得る。アクセスポイント１０５は、バックホールリンク１３２を通じてコアネットワーク１３０と制御情報および／またはユーザデータを通信し得る。例では、アクセスポイント１０５は、ワイヤード通信リンクまたはワイヤレス通信リンクであり得るバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、上述の様々な無線技術に従って変調されたマルチキャリア信号であり得る。各被変調信号は、異なるキャリア上で送られてよく、制御情報（たとえば、基準信号、制御チャネルなど）、オーバーヘッド情報、データなどを搬送し得る。
【００１９】
[0025]いくつかの例では、ワイヤレス通信システム１００の少なくとも一部分は、ＵＥ１１５のうちの１つまたは複数およびアクセスポイント１０５のうちの１つまたは複数が、別の階層レイヤと比べて低減されたレイテンシを有する階層レイヤ上での送信をサポートするように構成され得る、複数の階層レイヤ上で動作するように構成され得る。いくつかの例では、ハイブリッドＵＥ１１５−ａは、第１のＴＴＩを使用する第１レイヤ伝送（本明細書では「レガシー通信」または「レガシーワイヤレス技術」とも呼ばれる）をサポートする第１の階層レイヤ上と、第１のＴＴＩよりも短い場合がある第２のＴＴＩを使用する第２レイヤ伝送（本明細書では「ＵＬＬ通信」または「より低レイテンシのワイヤレス技術」とも呼ばれる）をサポートする第２の階層レイヤ上との両方で、アクセスポイント１０５−ａと通信し得る。
【００２０】
[0026]他の例では、第２のレイヤＵＥ１１５−ｂは、第２の階層レイヤのみの上でアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。アクセスポイント１０５−ｂおよびＵＥ１１５−ｂは、第２のサブフレームタイプのサブフレームの送信を通じて第２の階層レイヤ上で通信し得る。アクセスポイント１０５−ｂは、第１もしくは第２の階層レイヤのみに関係する通信を送信し得るか、または、第１と第２の両方の階層レイヤの通信を送信し得る。アクセスポイント１０５−ｂが第１と第２の両方の階層レイヤをサポートする場合、通信構成要素３６１は、本明細書で説明されるように、第１および第２の階層レイヤに関係するアクセスポイント１０５−ｂから受信された通信を優先するように構成され得る。
【００２１】
[0027]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを提供し得る。いくつかの例では、アクセスポイント１０５は、トランシーバ基地局、無線基地局、無線トランシーバ、基本サービスセット（ＢＳＳ）、拡張サービスセット（ＥＳＳ）、ＮｏｄｅＢ、発展型ＮｏｄｅＢ（ｅＮＢ）、ホームＮｏｄｅＢ、ホームｅＮＢ、または何らかの他の適切な用語で呼ばれることがある。基地局のカバレージエリア１１０は、カバレージエリアの一部分のみを構成するセクタ（図示されず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラー無線アクセス技術および／またはＷＬＡＮ無線アクセス技術（ＲＡＴ）などの異なる無線技術を利用し得る。アクセスポイント１０５は、同じまたは異なるアクセスネットワークまたは事業者展開に関連付けられ得る。同じもしくは異なるタイプのアクセスポイント１０５のカバレージエリアを含む、同じもしくは異なる無線技術を利用する、および／または同じもしくは異なるアクセスネットワークに属する、異なるアクセスポイント１０５のカバレージエリアは、重複し得る。
【００２２】
[0028]ＬＴＥ／ＬＴＥ−Ａおよび／またはＵＬＬ  ＬＴＥネットワーク通信システムでは、発展型ＮｏｄｅＢ（ｅＮｏｄｅＢまたはｅＮＢ）という用語は、概して、アクセスポイント１０５を表すために使用され得る。ワイヤレス通信システム１００は、異なるタイプのアクセスポイントが様々な地理的領域にカバレージを提供する、異種ＬＴＥ／ＬＴＥ−Ａ／ＵＬＬ  ＬＴＥネットワークであり得る。たとえば、各アクセスポイント１０５は、通信カバレージをマクロセル、ピコセル、フェムトセル、および／または他のタイプのセルに提供し得る。ピコセル、フェムトセル、および／または他のタイプのセルなどのスモールセルは、低電力ノードすなわちＬＰＮを含み得る。マクロセルは、比較的大きい地理的エリア（たとえば、半径数キロメートル）をカバーし得、ネットワークプロバイダのサービスに加入しているＵＥ１１５による無制限アクセスを可能にし得る。スモールセルは、比較的より小さい地理的エリアをカバーし得、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２３】
[0029]コアネットワーク１３０は、１つまたは複数のバックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介して、および／またはバックホールリンク１３２を介して（たとえば、コアネットワーク１３０を通じて）直接または間接的に互いに通信し得る。ワイヤレス通信システム１００は、同期動作または非同期動作をサポートし得る。同期動作の場合、アクセスポイント１０５は同様のフレームタイミングを有し得、異なるアクセスポイント１０５からの送信は、近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されても、同期されなくてもよい。本明細書で説明される技法は、同期動作または非同期動作のいずれかのために使用され得る。
【００２４】
[0030]ＵＥ１１５はワイヤレス通信システム１００全体にわたって分散され、各ＵＥ１１５は固定または移動であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、スモールセルｅＮＢ、リレーなどと通信することが可能であり得る。ＵＥ１１５はまた、セルラーアクセスネットワークもしくは他のＷＷＡＮアクセスネットワーク、またはＷＬＡＮアクセスネットワークなどの、異なるアクセスネットワークを介して通信することが可能であり得る。
【００２５】
[0031]ワイヤレス通信システム１００に示された通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る各階層レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通じて、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のために同じまたは異なるサービングセル上で２つ以上のコンポーネントキャリアを利用し得る。ＣｏＭＰは、いくつかのアクセスポイント１０５による送信および受信の協調により、ＵＥ１１５のための全体的な送信品質を改善するとともに、ネットワークおよびスペクトル利用を増加させるための技法を含み得る。
【００２６】
[0032]上述のように、いくつかの例では、アクセスポイント１０５およびＵＥ１１５は、複数のキャリア上で送信するためにキャリアアグリゲーションを利用し得る。いくつかの例では、アクセスポイント１０５およびＵＥ１１５は、２つ以上の別個のキャリアを使用して、第１のサブフレームタイプを各々が有する１つまたは複数のサブフレームを、フレーム内で第１の階層レイヤにおいて同時に送信し得る。各キャリアは、たとえば、２０ＭＨｚの帯域幅を有し得るが、他の帯域幅が利用されてよい。ハイブリッドＵＥ１１５−ａ、および／または第２のレイヤＵＥ１１５−ｂは、いくつかの例では、別個のキャリアのうちの１つまたは複数の帯域幅よりも大きい帯域幅を有する単一のキャリアを利用して第２の階層レイヤにおいて、１つまたは複数のサブフレームを受信および／または送信し得る。たとえば、第１の階層レイヤにおけるキャリアアグリゲーション方式で４つの別個の２０ＭＨｚキャリアが使用される場合、第２の階層レイヤにおいて単一の８０ＭＨｚキャリアが使用されてよい。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのスケーラブルな帯域幅は、さらに拡張されたデータレートを提供するために、上記で説明されたようなより短いＲＴＴを提供する組合せ技術であり得る。
【００２７】
[0033]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号が、各階層レイヤのＬＴＥダウンリンク送信のために通信リンク１２５において使用され得る一方、シングルキャリア周波数分割多元接続（ＳＣ−ＦＤＭＡ）通信信号が、各階層レイヤにおけるＬＴＥアップリンク送信のために通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００２８】
[0034]図２は、ＬＴＥまたはＵＬＬ  ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のスモールセルｅＮＢ２０８が、セル２０２のうちの１つまたは複数と重複するセルラー領域２１０を有し得る。スモールセルｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６のためにコアネットワーク１３０へのアクセスポイントを提供するように構成される。一態様では、ｅＮＢ２０４（またはスモールセルｅＮＢ２０８）は、シンボル処理構成要素３０２を含み得、このシンボル処理構成要素３０２は、本明細書でさらに説明されるように、単一シンボルにおいてまたはサブフレーム未満の他の持続時間において１つまたは複数のＵＥ２０６から受信された、結合された基準信号と制御データ信号との送信を復号するように構成される。同様に、ＵＥ２０６のうちの１つまたは複数は、通信構成要素３６１を含み得、この通信構成要素３６１は、単一シンボルにわたってまたはサブフレーム未満の他の持続時間にわたってｅＮＢ２０４／２０８に送信するための、結合された基準信号と制御データ信号とを生成するように構成される。アクセスネットワーク２００のこの例では集中型コントローラはないが、代替的な構成では集中型コントローラが使用され得る。ｅＮＢ２０４は、無線ベアラ制御と、アドミッション制御と、モビリティ制御と、スケジューリングと、セキュリティと、コアネットワーク１３０の１つまたは複数の構成要素への接続性とを含む、すべての無線関連機能を担当する。
【００２９】
[0035]アクセスネットワーク２００によって採用される変調方式および多元接続方式は、展開されている特定の電気通信規格に応じて異なる場合がある。ＬＴＥまたはＵＬＬ  ＬＴＥの適用例では、周波数分割複信（ＦＤＤ）と時分割複信（ＴＤＤ）の両方をサポートするために、ＤＬ上ではＯＦＤＭが使用され得、ＵＬ上ではＳＣ−ＦＤＭＡが使用され得る。当業者なら以下の詳細な説明から容易に諒解するように、本明細書で提示される様々な概念は、ＬＴＥの適用例に好適である。しかしながら、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびにＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存する。
【００３０】
[0036]ｅＮＢ２０４は、ＭＩＭＯ技術をサポートする複数のアンテナを有し得る。ＭＩＭＯ技術の使用により、ｅＮＢ２０４は空間領域を活用して、空間多重化と、ビームフォーミングと、送信ダイバーシティとをサポートすることが可能になる。データの異なるストリームを同じ周波数上で同時に送信するために、空間多重化が使用され得る。データスチームは、データレートを上げるために単一のＵＥ２０６に、または全体的なシステム容量を増大させるために複数のＵＥ２０６に送信され得る。これは、各データストリームを空間的にプリコーディングし（すなわち、振幅および位相のスケーリングを適用し）、次いで、空間的にプリコーディングされた各ストリームをＤＬ上で複数の送信アンテナを通じて送信することによって達成される。空間的にプリコーディングされたデータストリームは、異なる空間シグネチャとともにＵＥ２０６に到達し、これにより、ＵＥ２０６の各々は、そのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別することが可能になる。
【００３１】
[0037]空間多重化は、概して、チャネル状態が良好なときに使用される。チャネル状態があまり好ましくないとき、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを達成するために、送信ダイバーシティと組み合わせてシングルストリームビームフォーミング送信が使用され得る。
【００３２】
[0038]以下の詳細な説明では、アクセスネットワークの様々な態様が、ＤＬ上でＯＦＤＭをサポートするＭＩＭＯシステムを参照しながら説明される。ＯＦＤＭは、ＯＦＤＭシンボル内のいくつかのサブキャリアを介してデータを変調するスペクトラム拡散技法である。サブキャリアは、正確な周波数で離間される。離間は、受信機がサブキャリアからのデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３３】
[0039]図３は、アクセスネットワーク中でｅＮＢ３１０がＵＥ３５０と通信しているブロック図である。ＤＬでは、コアネットワークからの上位レイヤパケットが、コントローラ／プロセッサ３７５に提供される。コントローラ／プロセッサ３７５は、Ｌ２レイヤの機能を実装する。ＤＬでは、コントローラ／プロセッサ３７５は、ヘッダ圧縮と、暗号化と、パケットのセグメント化および並べ替えと、論理チャネルとトランスポートチャネルとの間の多重化と、様々な優先度メトリックに基づくＵＥ３５０への無線リソース割振りとを行う。コントローラ／プロセッサ３７５はまた、ハイブリッド自動再送／要求（ＨＡＲＱ）演算と、紛失パケットの再送信と、ＵＥ３５０へのシグナリングとを担当する。
【００３４】
[0040]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ）を容易にするためのコーディングおよびインターリービングと、様々な変調方式（たとえば、２位相偏移変調（ＢＰＳＫ）、４位相偏移変調（ＱＰＳＫ）、Ｍ位相偏移変調（Ｍ−ＰＳＫ）、多値直交振幅変調（Ｍ−ＱＡＭ））に基づく信号コンスタレーションへのマッピングとを含む。次いで、コーディングおよび変調されたシンボルが、並列ストリームに分割される。次いで、各ストリームは、ＯＦＤＭサブキャリアにマッピングされ、時間領域および／または周波数領域において基準信号（たとえば、パイロット）と多重化され、次いで、逆高速フーリエ変換（ＩＦＦＴ）を使用して合成されて、時間領域のＯＦＤＭシンボルストリームを搬送する物理チャネルを生成する。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信された基準信号および／またはチャネル状態フィードバックから導出され得る。次いで、各空間ストリームは、別個の送信機３１８ＴＸを介して異なるアンテナ３２０に与えられる。各送信機３１８ＴＸは、送信のためにそれぞれの空間ストリームでＲＦキャリアを変調する。加えて、ｅＮＢ３１０は、シンボル処理構成要素３０２を含み得、このシンボル処理構成要素３０２は、本明細書でさらに説明されるように、単一シンボルにおいてまたはサブフレーム未満の他の持続時間において１つまたは複数のＵＥ３５０から受信された、基準信号と制御データ信号とを含む結合信号を復号するように構成される。シンボル処理構成要素３０２はコントローラ／プロセッサ３７５に結合されるものとして示されているが、シンボル処理構成要素３０２がまた他のプロセッサ（たとえば、ＲＸプロセッサ３７０、ＴＸプロセッサ３１６など）および／もしくはメモリ３７６に結合され得ること、ならびに／または本明細書で説明されるアクションを実行するように１つもしくは複数のプロセッサ３１６、３７０、３７５および／もしくはメモリ３７６によって実装され得ることは諒解されたい。
【００３５】
[0041]ＵＥ３５０において、各受信機３５４ＲＸは、それのそれぞれのアンテナ３５２を通じて信号を受信する。各受信機３５４ＲＸは、ＲＦキャリア上に変調された情報を復元し、情報を受信（ＲＸ）プロセッサ３５６に提供する。ＲＸプロセッサ３５６は、Ｌ１レイヤの様々な信号処理機能を実装する。ＲＸプロセッサ３５６は、ＵＥ３５０に宛てられた任意の空間ストリームを復元するために、情報に対して空間処理を実行する。複数の空間ストリームがＵＥ３５０に宛てられた場合、それらは、ＲＸプロセッサ３５６によって単一のＯＦＤＭシンボルストリームに合成され得る。次いで、ＲＸプロセッサ３５６は、高速フーリエ変換（ＦＦＴ）を使用して、ＯＦＤＭＡシンボルストリームを時間領域から周波数領域に変換する。周波数領域信号は、ＯＦＤＭ信号のサブキャリアごとに別個のＯＦＤＭシンボルストリームを含み得る。各サブキャリア上のシンボルおよび基準信号は、ｅＮＢ３１０によって送信された最も可能性が高い信号コンスタレーションポイントを決定することによって、復元および復調される。これらの軟決定は、チャネル推定器３５８によって計算されたチャネル推定値に基づく場合がある。次いで、軟決定は復号されデインタリーブされて、物理チャネル上でｅＮＢ３１０によって最初に送信されたデータおよび制御信号が復元される。データおよび制御信号は、次いで、コントローラ／プロセッサ３５９に提供される。
【００３６】
[0042]コントローラ／プロセッサ３５９はＬ２レイヤを実装する。コントローラ／プロセッサは、プログラムコードとデータとを記憶するメモリ３６０に関連付けられ得る。メモリ３６０は、コンピュータ可読媒体と呼ばれ得る。ＵＬでは、コントローラ／プロセッサ３５９は、トランスポートチャネルと論理チャネルとの間の逆多重化と、パケットリアセンブリと、暗号解読（decipher）と、ヘッダ解凍（decompression）と、制御信号処理とを行って、コアネットワークからの上位レイヤパケットを復元する。次いで、上位レイヤパケットはデータシンク３６２に提供され、データシンク３６２はＬ２レイヤの上のすべてのプロトコルレイヤを表す。様々な制御信号も、Ｌ３処理のためにデータシンク３６２に提供され得る。コントローラ／プロセッサ３５９はまた、ＨＡＲＱ演算をサポートするために、肯定応答（ＡＣＫ）および／または否定応答（ＮＡＣＫ）のプロトコルを使用する誤り検出を担当する。加えて、ＵＥ３５０は、通信構成要素３６１を含み得、この通信構成要素３６１は、単一シンボルにわたってまたはサブフレーム未満の他の持続時間にわたってｅＮＢ３１０に送信するための、基準信号と制御データ信号とを含む結合信号を生成するように構成される。通信構成要素３６１はコントローラ／プロセッサ３５９に結合されるものとして示されているが、通信構成要素３６１がまた他のプロセッサ（たとえば、ＲＸプロセッサ３５６、ＴＸプロセッサ３６８など）および／もしくはメモリ３６０に結合され得ること、ならびに／または本明細書で説明されるアクションを実行するように１つもしくは複数のプロセッサ３５６、３５９、３６８および／もしくはメモリ３６０によって実装され得ることは諒解されたい。
【００３７】
[0043]ＵＬでは、データソース３６７は、上位レイヤパケットをコントローラ／プロセッサ３５９に与えるために使用される。データソース３６７は、Ｌ２レイヤの上のすべてのプロトコルレイヤを表す。ｅＮＢ３１０によるＤＬ送信に関して説明された機能と同様に、コントローラ／プロセッサ３５９は、ヘッダ圧縮と、暗号化と、パケットのセグメント化および並べ替えと、ｅＮＢ３１０による無線リソース割振りに基づく論理チャネルとトランスポートチャネルとの間の多重化とを行うことによって、ユーザプレーンおよび制御プレーンのためのＬ２レイヤを実装する。また、コントローラ／プロセッサ３５９は、ＨＡＲＱ演算と、紛失パケットの再送信と、ｅＮＢ３１０へのシグナリングとを担当する。
【００３８】
[0044]ｅＮＢ３１０によって送信された基準信号またはフィードバックからの、チャネル推定器３５８によって導出されたチャネル推定値は、適切なコーディングおよび変調方式を選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供される。各送信機３５４ＴＸは、送信のためにそれぞれの空間ストリームでＲＦキャリアを変調する。
【００３９】
[0045]ＵＬ送信は、ＵＥ３５０における受信機機能に関連して説明されたのと同じようにしてｅＮＢ３１０において処理される。各受信機３１８ＲＸは、それのそれぞれのアンテナ３２０を通じて信号を受信する。各受信機３１８ＲＸは、ＲＦキャリア上に変調された情報を復元し、情報をＲＸプロセッサ３７０に提供する。ＲＸプロセッサ３７０はＬ１レイヤを実装し得る。
【００４０】
[0046]コントローラ／プロセッサ３７５はＬ２レイヤを実装する。コントローラ／プロセッサ３７５は、プログラムコードとデータとを記憶するメモリ３７６に関連付けられ得る。メモリ３７６は、コンピュータ可読媒体と呼ばれ得る。ＵＬでは、コントローラ／プロセッサ３７５は、トランスポートチャネルと論理チャネルとの間の逆多重化と、パケットリアセンブリと、暗号解読と、ヘッダ解凍と、制御信号処理とを行って、ＵＥ３５０からの上位レイヤパケットを復元する。コントローラ／プロセッサ３７５からの上位レイヤパケットは、コアネットワークに提供され得る。コントローラ／プロセッサ３７５はまた、ＨＡＲＱ演算をサポートするために、ＡＣＫおよび／またはＮＡＣＫのプロトコルを使用する誤り検出を担当する。
【００４１】
[0047]図４は、ワイヤレス通信システムにおけるＵＬＬ通信を管理するための、図において時間が左から右に流れるＵＬＬタイムライン４００、４０２の非限定的な例を示す図である。この例では、タイムライン４００、４０２は、サブフレームの各シンボル内にシンボル持続時間のＵＬＬフレームを含む。タイムライン４００と４０２は両方とも、ＵＬＬ物理ダウンリンク制御チャネル（ｕＰＤＣＣＨ）および／またはＵＬＬ物理ダウンリンク共有チャネル（ｕＰＤＳＣＨ）のＴＴＩを表すシンボルと、ＵＬＬ物理アップリンク制御チャネル（ｕＰＵＣＣＨ）および／またはＵＬＬ物理アップリンク共有チャネル（ｕＰＵＳＣＨ）を含むＴＴＩを表すシンボルと、を示す。タイムライン４００において、１４個のシンボルが所与のサブフレーム（たとえば、ノーマルＣＰの場合）内に示されており、またタイムライン４０２において、１２個のシンボルが、所与のサブフレーム（たとえば、拡張ＣＰの場合）内に示されている。いずれの場合も、シンボルベースのＴＴＩを利用することによって、より低いレイテンシがＵＬＬにおいて達成される。他の例では、ＴＴＩが２つ以上のシンボル、サブフレームのスロット（ここでサブフレームは２つのスロットを含む）などであり得ることは諒解されたい。加えて、ＨＡＲＱプロセス応答時間は、３シンボル分（または４シンボル分、３デュアルシンボル分、３スロット分など）となり得る。図示の例では、サブフレーム中で、ｕＰＤＣＣＨ／ｕＰＤＳＣＨがシンボル０において送られ、ＨＡＲＱが処理されてシンボル４において送られ、以下同様である。したがって、一例では、シンボル４において送られるＨＡＲＱフィードバックは、本明細書でさらに説明されるように、単一のシンボル４において送信される、基準信号と制御データ信号とを含む結合信号を含むことができる。
【００４２】
[0048]図５〜図７を参照すると、本明細書で説明されるアクションまたは機能を実行することができる１つまたは複数の構成要素および１つまたは複数の方法に関して態様が示されている。一態様では、本明細書で使用されるときに、「構成要素」という用語は、システムを構成する部分のうちの１つであってよく、ハードウェアまたはソフトウェアまたはそれらの何らかの組合せであってよく、他の構成要素に分割され得る。図６および図７において後述される動作は、特定の順序で、および／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアもしくはコンピュータ可読媒体を実行するプロセッサによって、または説明されるアクションもしくは機能を実行することが可能なハードウェア構成要素および／もしくはソフトウェア構成要素の任意の他の組合せによって実行され得ることを理解されたい。
【００４３】
[0049]図５は、結合された基準信号と制御データ信号とを、単一シンボル持続時間におけるリソースブロックにわたって通信するための例示的なシステム５００を示している。システム５００は、ワイヤレスネットワークにアクセスするためにｅＮＢ５０４と通信するＵＥ５０２を含み、この例は、上記の図１〜図３で説明されている（たとえば、アクセスポイント１０５、ｅＮＢ２０４、２０８、ｅＮＢ３１０、ＵＥ１１５、２０６、３５０など）。一態様では、ｅＮＢ５０４およびＵＥ５０２は、ダウンリンク信号５０９を介して通信する際に経由される１つまたは複数のダウンリンクチャネルを確立していることがあり、このダウンリンク信号５０９は、構成された通信リソースを介してｅＮＢ５０４からＵＥ５０２に制御および／またはデータメッセージ（たとえば、シグナリングにおける）を通信するために、ｅＮＢ５０４によって（たとえば、トランシーバ５５６を介して）送信され、ＵＥ５０２によって（たとえば、トランシーバ５０６を介して）受信される可能性がある。さらに、たとえば、ｅＮＢ５０４およびＵＥ５０２は、アップリンク信号５０８を介して通信する際に経由される１つまたは複数のアップリンクチャネルを確立していることがあり、このアップリンク信号５０８は、構成された通信リソースを介してＵＥ５０２からｅＮＢ５０４に制御および／またはデータメッセージ（たとえばシグナリングにおける）を通信するために、ＵＥ５０２によって（たとえばトランシーバ５０６を介して）送信されて、ｅＮＢ５０４によって（たとえばトランシーバ５５６を介して）受信される可能性がある。本明細書でさらに説明されるように、たとえば、ＵＥ５０２は、結合信号５８０をｅＮＢ５０４に通信することができ、結合信号５８０は、互いの位相オフセットである基準信号と制御データと（たとえば、無線アクセス技術に対して定義された複数の位相から選択され得る異なる位相を使用するもの。一方の位相を他方の位相から差し引いたものは、偶数であり、０に等しくない）を含み、それにより、ｅＮＢ５０４は、基準信号を見分けることができ、制御データを復号するために基準信号を使用することができる。加えて、たとえば、ＵＥ５０２は、より低レイテンシの（たとえばＵＬＬ）タイムライン（たとえば、図４のタイムライン４００や４０２など、サブフレーム未満の持続時間のＴＴＩを有するタイムライン）に基づいて、結合信号５８０を送信することができる。
【００４４】
[0050]一態様では、ＵＥ５０２は、１つもしくは複数のプロセッサ５０３、および／またはメモリ５０５を含み得る。これらは、たとえば１つまたは複数のバス５０７を介して通信可能に結合されてよく、これらはまた、ＵＬＬタイムライン（たとえば、図４のタイムライン４００や４０２など、サブフレーム未満の持続時間のＴＴＩを有するタイムライン）に基づいてｅＮＢ５０４へのアップリンク信号５０８の送信および／またはｅＮＢ５０４からのダウンリンク信号５０９の受信などを行うべくｅＮＢ５０４と通信するために、通信構成要素３６１とともに動作するか、またはそうでない場合は通信構成要素３６１を実装することができる。たとえば、通信構成要素３６１に関連する様々な動作は実装され得るか、またはさもなければ１つもしくは複数のプロセッサ５０３によって実行され得、一態様では、単一のプロセッサによって実行され得るが、他の態様では、動作のうちの異なるものが、２つ以上の異なるプロセッサの組合せによって実行され得る。たとえば、一態様では、１つまたは複数のプロセッサ５０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ５０６に関連付けられたトランシーバプロセッサのうちの任意の１つまたは任意の組合せを含んでよい。さらに、たとえば、メモリ５０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびに、コンピュータまたは１つもしくは複数のプロセッサ５０３によってアクセスされ読み取られ得るソフトウェアおよび／またはコンピュータ可読コードもしくは命令を記憶するための任意の他の適切な媒体を含む非一時的コンピュータ可読媒体であってもよい。さらに、メモリ５０５またはコンピュータ可読記憶媒体は、１つまたは複数のプロセッサ５０３内に存在しても、１つまたは複数のプロセッサ５０３の外部にあっても、１つまたは複数のプロセッサ５０３を含む複数のエンティティにわたって分散するなどしてもよい。
【００４５】
[0051]特に、１つまたは複数のプロセッサ５０３および／またはメモリ５０５は、通信構成要素３６１またはそのサブ構成要素によって定義されたアクションまたは動作を実行し得る。たとえば、１つもしくは複数のプロセッサ５０３および／またはメモリ５０５は、１つまたは複数のネットワークエンティティに送信するための、基準信号と制御データ信号とを含む結合信号である波形を生成するために、波形生成構成要素５１０によって定義されたアクションまたは動作を実行し得る。一態様では、たとえば、波形生成構成要素５１０は、ハードウェア（たとえば、１つもしくは複数のプロセッサ５０３の１つもしくは複数のプロセッサモジュール）、ならびに／または、本明細書で説明される特別構成の波形生成動作を実行するために、メモリ５０５に記憶され、１つもしくは複数のプロセッサ５０３のうちの少なくとも１つによって実行可能なコンピュータ可読コードもしくは命令を含み得る。さらに、たとえば、１つもしくは複数のプロセッサ５０３および／またはメモリ５０５は、波形を生成するよう基準信号と制御データ信号とを結合するために、信号結合構成要素５１２によって定義されたアクションまたは動作を実行し得る。一態様では、たとえば、信号結合構成要素５１２は、ハードウェア（たとえば、１つもしくは複数のプロセッサ５０３の１つもしくは複数のプロセッサモジュール）、および／または、本明細書で説明される特別構成の信号結合動作を実行するために、メモリ５０５に記憶され、１つもしくは複数のプロセッサ５０３のうちの少なくとも１つによって実行可能なコンピュータ可読コードもしくは命令を含んでもよい。
【００４６】
[0052]同様に、一態様では、ｅＮＢ５０４は、１つもしくは複数のプロセッサ５５３、および／またはメモリ５５５を含み得る。これらは、たとえば１つまたは複数のバス５５７を介して通信可能に結合されてよく、これらはまた、シンボルにわたってまたはサブフレーム未満の持続時間である他のＴＴＩにわたって（たとえば、図４のタイムライン４００や４０２など、サブフレーム未満の持続時間のＴＴＩを有するＵＬＬタイムラインに従って）、結合信号をＵＥ５０２から受信するために、シンボル処理構成要素３０２とともに動作するか、またはそうでない場合はシンボル処理構成要素３０２を実装することができる。たとえば、シンボル処理構成要素３０２に関連する様々な機能は実装されるか、またはさもなければ１つもしくは複数のプロセッサ５５３によって実行されてもよく、一態様では、単一のプロセッサによって実行され得るが、上記で説明されたように、他の態様では、機能のうちの異なるものが、２つ以上の異なるプロセッサの組合せによって実行され得る。一例では、１つまたは複数のプロセッサ５５３および／またはメモリ５５５は、ＵＥ５０２の１つまたは複数のプロセッサ５０３および／またはメモリ５０５に関して上記の例で説明されたように構成されてもよいことを諒解されたい。
【００４７】
[0053]一例では、１つもしくは複数のプロセッサ５５３および／またはメモリ５５５は、シンボル処理構成要素３０２またはそのサブ構成要素によって定義されたアクションまたは動作を実行し得る。たとえば、１つもしくは複数のプロセッサ５５３および／またはメモリ５５５は、シンボル持続時間においてリソースブロック中でＵＥからの基準信号を取得するために、基準信号取得構成要素５２０によって定義されたアクションまたは動作を実行し得る。一態様では、たとえば、基準信号取得構成要素５２０は、本明細書で説明される特別構成の信号取得動作を実施するための、ハードウェア（たとえば、１つもしくは複数のプロセッサ５５３の１つもしくは複数のプロセッサモジュール）、および／または、メモリ５５５に記憶され１つもしくは複数のプロセッサ５５３のうちの少なくとも１つによって実行可能なコンピュータ可読コードもしくは命令、を含み得る。さらに、たとえば、１つもしくは複数のプロセッサ５５３および／またはメモリ５５５は、シンボル持続時間においてリソースブロック中で受信された制御データを基準信号に少なくとも部分的に基づいて復号するために、制御データ決定構成要素５２２によって定義されたアクションまたは動作を実行し得る。一態様では、たとえば、制御データ決定構成要素５２２は、ハードウェア（たとえば、１つもしくは複数のプロセッサ５５３の１つもしくは複数のプロセッサモジュール）、ならびに／または、本明細書で説明される特別構成の制御データ決定動作を実行するために、メモリ５５５に記憶され、１つもしくは複数のプロセッサ５５３のうちの少なくとも１つによって実行可能なコンピュータ可読コードもしくは命令を含み得る。
【００４８】
[0054]トランシーバ５０６、５５６は、１つまたは複数のアンテナ、ＲＦフロントエンド、１つまたは複数の送信機、および１つまたは複数の受信機を通じてワイヤレス信号を送信および受信するように構成されてもよいことは諒解されたい。一態様では、トランシーバ５０６、５５６は、ＵＥ５０２および／またはｅＮＢ５０４が特定の周波数で通信し得るように、指定された周波数で動作するように同調され得る。一態様では、関連するアップリンクまたはダウンリンク通信チャネルを介してそれぞれアップリンク信号５０８および／またはダウンリンク信号５０９を通信するために、構成、通信プロトコルなどに基づいて、指定された周波数および電力レベルで動作するように、１つもしくは複数のプロセッサ５０３がトランシーバ５０６を構成してもよく、および／または１つもしくは複数のプロセッサ５５３がトランシーバ５５６を構成してもよい。
【００４９】
[0055]一態様では、トランシーバ５０６、５５６は、トランシーバ５０６、５５６を使用して送受信されるデジタルデータを処理するように、複数の帯域で（たとえば、マルチバンドマルチモードモデム（図示されず）を使用して）動作し得る。一態様では、トランシーバ５０６、５５６はマルチバンドであり、特定の通信プロトコルのために複数の周波数帯域をサポートするように構成され得る。一態様では、トランシーバ５０６、５５６は、複数の動作ネットワークおよび通信プロトコルをサポートするように構成され得る。したがって、たとえば、トランシーバ５０６、５５６は、指定されたモデム構成に基づいて信号の送信および／または受信を可能にしてもよい。
【００５０】
[0056]図６は、基準信号と制御データ信号とを含み得る結合信号を１つのＴＴＩにおいて送信する（たとえばＵＥ５０２によって）ための、例示的な方法６００を示している。ブロック６０２で、ＵＥ５０２は、基準信号と制御データ信号とを含む結合信号を含む波形を生成することができ、基準信号と制御データ信号とは、波形において互いの位相オフセットである。一態様では、波形生成構成要素５１０（図５）が、たとえば１つもしくは複数のプロセッサ５０３および／またはメモリ５０５とともに、基準信号と制御データ信号とを含む結合信号（たとえば結合信号５８０）を含む波形を生成することができ、基準信号と制御データ信号とは、波形において互いの位相オフセットである。一例では、波形生成構成要素５１０は、制御データをｅＮＢ５０４に報告するために、結合信号を生成することができる。たとえば、ｅＮＢ５０４は、ＵＥ５０２に割り当てられたダウンリンクリソースを介してＵＥ５０２に通信を送信することができ（たとえば、１つまたは複数のＴＴＩにおいて）、ＵＥ５０２は、通信に対するフィードバックをｅＮＢ５０４に報告することができ（たとえば、１つまたは複数の後続のＴＴＩにおいて。このＴＴＩは、ダウンリンクリソース中で通信が受信されるＴＴＩの後に続く、構成された数のＴＴＩであってよい）、このフィードバックは、通信を受信することおよび／または正しく復号することの、肯定応答（ＡＣＫ）または否定応答（ＮＡＣＫ）を示すことができる。これに関して、たとえば、フィードバックは、ＨＡＲＱフィードバック、および／または他の制御データを含むことができる。一例では、波形生成構成要素５１０は、本明細書でさらに説明されるように、各信号につき異なる位相オフセットを使用して、基準信号と制御データ信号とを結合することができる。
【００５１】
[0057]加えて、たとえば、波形生成構成要素５１０は、後述されるように、選択された位相オフセット間の差が偶数であり０に等しくないように、無線アクセス技術に対して定義された選択された位相オフセットに基づいて基準信号と制御データ信号とを位相オフセットすることができる。たとえば、波形生成構成要素５１０は、対応するＲＡＴ（たとえばＬＴＥ）に対して定義された利用可能な位相オフセットのセットから、基準信号と制御データ信号との各々の位相オフセット（サイクリックシフトとも呼ばれる）を選択することができる。異なる位相オフセットを使用することで、結合信号５８０の受信側は、基準信号と制御データ信号とを区別することができる（たとえば、時間領域で分離した関連するチャネル応答を決定するために、受信された結合信号５８０のＩＦＦＴや逆離散フーリエ変換ＩＤＦＴなどを実施することによって）。
【００５２】
[0058]一例では、ブロック６０２で波形を生成する際、ＵＥ５０２は、任意選択で、ブロック６０４で、基準信号をベースシーケンス（base sequence）として制御データ信号と結合することができる。そのような態様では、制御データ信号は、制御データと結合されたベースシーケンスを含むことができる。一態様では、信号結合構成要素５１２が、たとえば１つもしくは複数のプロセッサ５０３および／またはメモリ５０５とともに、基準信号をベースシーケンスとして制御データ信号と結合することができる。そのような態様では、制御データ信号は、制御データと結合されたベースシーケンスを含むことができる。具体例では、波形生成構成要素５１０が、結合信号に利用するベースシーケンスを生成するかまたは選択することができ、ベースシーケンスは、結合信号の基準信号部分に対応し得る。ベースシーケンスは、無線アクセス技術における基準信号の送信のために定義されたシーケンス（たとえば、ＬＴＥにおける復調基準信号のための１つまたは複数のＺａｄｏｆｆ−Ｃｈｕシーケンス）を指すことができる。具体例では（たとえば、ＬＴＥにおいては、またはＵＬＬ  ＬＴＥなど、より低レイテンシのＬＴＥにおいては）、ベースシーケンスは、１２個のＯＦＤＭシンボルの長さであってよい。加えて、たとえば、波形生成構成要素５１０は、制御データと結合された同じベースシーケンス（たとえば、制御データの表現が掛けられたベースシーケンス）として制御データ信号を生成することができ、制御データは、ＱＰＳＫコンスタレーションや１６−直交振幅変調（１６−ＱＡＭ）などを使用して変調されてよい。
【００５３】
[0059]１つの具体例では、波形生成構成要素５１０は、制御データを表すＱＰＳＫコンスタレーションや１６−ＱＡＭなどを、受け取るかまたはそうでない場合は生成することができ、これは、２ビット送信を表すことができる。たとえば、この２ビットは、ＵＥ５０２において（たとえばｅＮＢ５０４から）受信されたダウンリンク通信に対するＨＡＲＱフィードバック、および／または、２ビットを占めることのできる他の制御データ、に対応し得る。したがって、波形生成構成要素５１０は、基準信号をベースシーケンスとして生成することができ、制御データ信号を、制御データの変調に使用されたＱＰＳＫコンスタレーションや１６−ＱＡＭなどと結合されたベースシーケンスとして生成することができ、信号結合構成要素５１２は、単一のＴＴＩ（たとえば、シンボル持続時間、２シンボル持続時間、スロット持続時間などの）において１つのリソースブロックにわたって送信するための結合信号（たとえば結合信号５８０）を生成するために、信号を結合することができる。具体例では、波形は、次のように表されることが可能である。
【００５４】
【数１】
0006553190.tif 000002
【００５５】
上式で、ｒu1（ｎ）ｅj2π(α1)n/12は、基準信号を表すことができ、ｄ（ｍ）・ｒu1（ｎ）ｅj2π(α2)n/12は、制御データ信号を表すことができる。さらに、この例では、ｒu1は、ベースシーケンスを表すことができ、α１およびα２は、それぞれ、前述のようにＲＡＴに対して定義された複数の位相オフセットから選ばれ得る、基準信号および制御データ信号の位相オフセットを表すことができ、ｄ（ｍ）は、ＱＰＳＫコンスタレーションや１６−ＱＡＭなどを表すことができ、ｎは、トーン番号（たとえば、信号が送信される際のリソースブロックに対応する周波数トーンのインデックス。ＬＴＥでは、０〜１１であってよい）を表すことができ、ｍは、ＯＦＤＭシンボル番号（たとえば、サブフレーム内のＯＦＤＭシンボルのインデックス）を表すことができる。一例では、波形生成構成要素５１０は、いくつかの位相（たとえば、３ＧＰＰ技術仕様書３６．２１１の中でＬＴＥにおける物理アップリンク制御チャネル（ＰＵＣＣＨ）および／またはアップリンク復調基準信号（ＤＭ−ＲＳ）に対して定義されるような、αの１２個の位相または値）から選ばれた異なる値を有するα１およびα２を、選択することができるか、またはそうでない場合はそれらを用いて構成されてよく、位相オフセットの選択は、絶対値（α１−α２）が偶数であり０に等しくないように、決定される。これに関して、ＱＰＳＫコンスタレーションや１６−ＱＡＭなどを使用する場合、結果的に結合信号は、より高次の変調方式と比較して、低減されたＰＡＰＲを呈することがある。加えて、所与のシンボルｍにおいて不連続（ＤＴＸ）モードで構成されたＵＥ５０２など、いくつかの例では、波形生成構成要素５１０は、制御データ信号が存在しないことを示すために、ｄ（ｍ）を０に設定することができる。この例では、波形生成構成要素５１０は、ＤＴＸフィードバックを示すために、０制御データ信号なしで、基準信号ｒu1（ｎ）ｅj2π(α1)n/12についてのベースシーケンスを含めるように波形を生成することができる。
【００５６】
[0060]ブロック６０６で、ＵＥ５０２は、サブフレーム未満の持続時間を有するＴＴＩにおいて、１つのリソースブロック上で波形を送信することができる。一態様では、通信構成要素３６１が、たとえば１つもしくは複数のプロセッサ５０３および／またはメモリ５０５、トランシーバ５０６などとともに、サブフレーム未満の持続時間を有するＴＴＩにおいて、１つのリソースブロック中で波形を送信することができる。説明されたように、ＴＴＩは、より低レイテンシのワイヤレス技術（たとえばＵＬＬ  ＬＴＥ）に関連するものであってよく、単一シンボルＴＴＩまたは２シンボルＴＴＩまたはスロットＴＴＩなどを含むことができ、これは、図４のタイムライン４００や４０２中のＴＴＩと同様とすることができる。制御データがダウンリンク通信に対するＨＡＲＱフィードバックに関係するものである場合、一例では、通信構成要素３６１は、関係するダウンリンク通信が受信されるＴＴＩから指定数のＴＴＩ（たとえば、図４に示されるように４つのＴＴＩ）にあるＴＴＩにおいて、波形を送信することができる。一態様では、通信構成要素３６１は、制御データ信号を（たとえばｕＰＵＣＣＨリソース中で）通信するためにｅＮＢ５０４によって割り当てられた（たとえばｕＰＤＣＣＨ中で示されるような）リソースに基づいて、波形を送信することができる。
【００５７】
[0061]任意選択で、ブロック６０８で、ＵＥ５０２は、後続のＴＴＩにおいて、異なるリソースブロック上で波形を送信することができ、この異なるリソースブロックは、リソースブロックとは異なる周波数のものである。一態様では、通信構成要素３６１が、たとえば１つもしくは複数のプロセッサ５０３および／またはメモリ５０５、トランシーバ５０６などとともに、後続のＴＴＩにおいて、異なるリソースブロック上で波形を送信することができ、この異なるリソースブロックは、前のＴＴＩにおいて使用されたリソースブロックとは異なる周波数のものである。これは、結合信号を通信するための周波数ダイバーシティを提供することができる。加えて、通信構成要素３６１は、後続のＴＴＩ（たとえば、図４のＴＴＩ５など、ブロック６０６におけるＴＴＩ持続時間に対する隣接ＴＴＩ。この場合、結合信号波形の元の送信は、ＴＴＩ１において受信されたデータに対するＡＣＫ／ＮＡＣＫとして、ＴＴＩ４において行われる）において、異なるリソースブロック上で波形を送信するので、これは追加で、制御データを送信するための時間ダイバーシティも提供できることを諒解されたい。
【００５８】
[0062]図７は、基準信号と制御データ信号とを含む結合信号から制御データを復号する（たとえばｅＮＢ５０４によって）ための、例示的な方法７００を示している。ブロック７０２で、ｅＮＢ５０４は、１つのＴＴＩにおいて、単一のリソースブロックを占める信号の第１のインスタンスをデバイスから受信することができ、ＴＴＩの持続時間はサブフレーム未満である。一態様では、シンボル処理構成要素３０２（図５）が、たとえば１つもしくは複数のプロセッサ５５３および／またはメモリ５５５、トランシーバ５５６などとともに、１つのＴＴＩにおいて、信号の第１のインスタンスをデバイス（たとえばＵＥ５０２）から受信することができ、信号の第１のインスタンスは単一のリソースブロックを占め、ＴＴＩの持続時間はサブフレーム未満である。たとえば、シンボル処理構成要素３０２は、前述のように、結合された基準信号と制御データ信号として、結合信号５８０をＵＥ５０２から受信することができる。したがって、結合信号は、互いの位相オフセットである基準信号と制御データ信号とを含むことができる。
【００５９】
[0063]任意選択で、ブロック７０４で、ｅＮＢ５０４は、後続のＴＴＩにおいて、異なるリソースブロックにわたって信号の第２のインスタンスをデバイスから受信することができる。一態様では、シンボル処理構成要素３０２が、たとえば１つもしくは複数のプロセッサ５５３および／またはメモリ５５５、トランシーバ５５６などとともに、後続のＴＴＩにおいて、異なるリソースブロック（信号の第１のインスタンスによって使用されたリソースブロックに対して相対的な）にわたって信号の第２のインスタンスをデバイス（たとえばＵＥ５０２）から受信することができる。説明されたように、後続のＴＴＩは、隣接するＴＴＩであってよい（たとえば、図４のＴＴＩ５。この場合、信号の第１のインスタンスはＴＴＩ４上で送信される）。これは、信号を通信するための周波数ダイバーシティを提供することができる。
【００６０】
[0064]ブロック７０６で、ｅＮＢ５０４は、信号の第１のインスタンスおよび／または第２のインスタンスから、基準信号部分および制御データ信号パワーを取得することができ、基準信号部分と制御データ信号部分とは、互いの位相オフセットである。一態様では、基準信号取得構成要素５２０が、たとえば１つもしくは複数のプロセッサ５５３および／またはメモリ５５５などとともに、信号（たとえば結合信号５８０）の第１のインスタンスおよび／または信号の第２のインスタンスから、基準信号部分および制御データ信号部分を取得することができ、基準信号部分と制御データ信号部分とは、互いの位相オフセットである。たとえば、説明されたように、信号は、ベースシーケンスから生成された基準信号と、基準信号とは異なる位相オフセットにある、制御データと結合されたベースシーケンスとしての制御データ信号と、を含むことができる。
【００６１】
[0065]したがって、たとえば、シンボル処理構成要素３０２は、ＩＦＦＴやＩＤＦＴなどを受信信号に対して実施することによって、基準信号部分および制御データ信号部分を取得することができ、これは、時間領域において分離された基準信号および制御データ信号をもたらすことができる。したがって、基準信号取得構成要素５２０は、時間領域における第１のチャネル応答を測定することに基づいて、信号から基準信号ベースシーケンスを決定することができる。次いで、制御データ決定構成要素５２２は、基準信号ベースシーケンスに少なくとも部分的に基づいて（たとえば、基準信号ベースシーケンスを使用して、時間領域における第２のチャネル応答において表されるデータを復号することによって）、制御データ信号から制御データを決定することができる。一例では、制御データ決定構成要素５２２は、基準信号に基づいて制御データ信号のＱＰＳＫ復調（たとえばまたは１６−ＱＡＭなど）を実施して、ＱＰＳＫコンスタレーション（たとえばまたは１６−ＱＡＭコンスタレーションなど）を決定することができ、次いで、ＱＰＳＫコンスタレーション（たとえばまたは１６−ＱＡＭなど）に基づいて制御データを決定することができる。たとえば、制御データ決定構成要素５２２は、コンスタレーションによって表されるビットを決定することによって少なくとも部分的に、制御データを決定することができる。
【００６２】
[0066]開示されたプロセスにおけるステップの特定の順序または階層は、例示的な手法の例示であることを理解されたい。設計上の選好に基づいて、プロセスにおけるステップの特定の順序または階層は再構成されてもよいことを理解されたい。さらに、いくつかのステップは、組み合わされるか、または省略される場合がある。添付の方法クレームは、様々なステップの要素を例示的な順序において提示したものであり、提示された特定の順序または階層に限定されるものではない。
【００６３】
[0067]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
以下に、本願出願の当初の特許請求の範囲に記載された発明を付記する。
［Ｃ１］
ワイヤレス通信の方法であって、
基準信号と制御データ信号とを含む結合信号を含む波形を生成すること、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信することと
を備える、方法。
［Ｃ２］
前記波形を生成することは、前記基準信号をベースシーケンスとして前記制御データ信号と結合することを備え、前記制御データ信号は、制御データと結合された前記ベースシーケンスを備える、
［Ｃ１］に記載の方法。
［Ｃ３］
前記制御データは、直交位相偏移変調（ＱＰＳＫ）コンスタレーションまたは１６−直交振幅変調（ＱＡＭ）コンスタレーションを使用して変調される、
［Ｃ２］に記載の方法。
［Ｃ４］
前記ＱＰＳＫコンスタレーションまたは前記１６−ＱＡＭコンスタレーションは、前記波形のピーク対平均電力比（ＰＡＰＲ）を低減するために選択される、
［Ｃ３］に記載の方法。
［Ｃ５］
前記制御データ中で不連続送信（ＤＴＸ）のフィードバックを示すために、前記ＱＰＳＫコンスタレーションまたは前記１６−ＱＡＭコンスタレーションを０に設定することをさらに備える、
［Ｃ３］に記載の方法。
［Ｃ６］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１］に記載の方法。
［Ｃ７］
後続のＴＴＩにおいて異なるリソースブロック上で前記波形を送信することをさらに備え、前記異なるリソースブロックは、前記１つのリソースブロックとは異なる周波数のものである、
［Ｃ１］に記載の方法。
［Ｃ８］
前記制御データ信号は、ハイブリッド自動再送／要求（ＨＡＲＱ）フィードバックを含む、
［Ｃ１］に記載の方法。
［Ｃ９］
前記ＴＴＩの前記持続時間は、シンボル持続時間、２シンボル持続時間、または前記サブフレームのスロット持続時間、のうちの少なくとも１つである、
［Ｃ１］に記載の方法。
［Ｃ１０］
ワイヤレス通信のためのユーザ機器であって、
トランシーバと、
バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサは、
基準信号と制御データ信号とを含む結合信号を含む波形を生成すること、ここにおいて、前記基準信号と前記制御データ信号とが前記波形において互いの位相オフセットである、と、
前記トランシーバを介して、サブフレーム未満の持続時間を有する送信時間間隔（ＴＴＩ）において１つのリソースブロック上で前記波形を送信することと、
を行うように構成される、ユーザ機器。
［Ｃ１１］
前記少なくとも１つのプロセッサは、前記基準信号をベースシーケンスとして前記制御データ信号と結合することによって少なくとも部分的に、前記波形を生成するようにさらに構成され、前記制御データ信号は、制御データと結合された前記ベースシーケンスを備える、
［Ｃ１０］に記載のユーザ機器。
［Ｃ１２］
前記制御データは、直交位相偏移変調（ＱＰＳＫ）コンスタレーションまたは１６−直交振幅変調（ＱＡＭ）コンスタレーションを使用して変調される、
［Ｃ１１］に記載のユーザ機器。
［Ｃ１３］
前記波形のピーク対平均電力比（ＰＡＰＲ）を低減するために前記ＱＰＳＫコンスタレーションまたは前記１６−ＱＡＭコンスタレーションが選択される、
［Ｃ１２］に記載のユーザ機器。
［Ｃ１４］
前記少なくとも１つのプロセッサは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
［Ｃ１２］に記載のユーザ機器。
［Ｃ１５］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１０］に記載のユーザ機器。
［Ｃ１６］
前記少なくとも１つのプロセッサは、後続のＴＴＩにおいて異なるリソースブロック上で前記波形を送信するようにさらに構成され、前記異なるリソースブロックは、前記１つのリソースブロックとは異なる周波数のものである、
［Ｃ１０］に記載のユーザ機器。
［Ｃ１７］
前記制御データ信号は、ハイブリッド自動再送／要求（ＨＡＲＱ）フィードバックを含む、
［Ｃ１０］に記載のユーザ機器。
［Ｃ１８］
前記ＴＴＩの前記持続時間は、シンボル持続時間、２シンボル持続時間、または前記サブフレームのスロット持続時間、のうちの少なくとも１つである、
［Ｃ１０］に記載のユーザ機器。
［Ｃ１９］
通信のためのユーザ機器であって、
基準信号と制御データ信号とを含む結合信号を含む波形を生成するための手段、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信するための手段と
を備える、ユーザ機器。
［Ｃ２０］
前記波形を生成するための手段は、前記基準信号をベースシーケンスとして前記制御データ信号と結合するようにさらに構成され、前記制御データ信号は、制御データと結合された前記ベースシーケンスを備える、
［Ｃ１９］に記載のユーザ機器。
［Ｃ２１］
前記制御データは、直交位相偏移変調（ＱＰＳＫ）コンスタレーションまたは１６−直交振幅変調（ＱＡＭ）コンスタレーションを使用して変調される、
［Ｃ２０］に記載のユーザ機器。
［Ｃ２２］
前記波形のピーク対平均電力比（ＰＡＰＲ）を低減するために前記ＱＰＳＫコンスタレーションまたは前記１６−ＱＡＭコンスタレーションが選択される、
［Ｃ２１］に記載のユーザ機器。
［Ｃ２３］
前記制御データ中で不連続送信（ＤＴＸ）のフィードバックを示すために前記ＱＰＳＫコンスタレーションまたは前記１６−ＱＡＭコンスタレーションを０に設定するための手段をさらに備える、
［Ｃ２１］に記載のユーザ機器。
［Ｃ２４］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１９］に記載のユーザ機器。
［Ｃ２５］
コンピュータ実行可能コードを備えるコンピュータ可読記憶媒体であって、前記コンピュータ実行可能コードは、
基準信号と制御データ信号とを含む結合信号を含む波形を生成するためのコード、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信するためのコードと
を備える、コンピュータ可読記憶媒体。
［Ｃ２６］
前記コードは、前記基準信号をベースシーケンスとして前記制御データ信号とさらに結合し、前記制御データ信号は、制御データと結合された前記ベースシーケンスを備える、
［Ｃ２５］に記載のコンピュータ可読記憶媒体。
［Ｃ２７］
前記制御データは、直交位相偏移変調（ＱＰＳＫ）コンスタレーションまたは１６−直交振幅変調（ＱＡＭ）コンスタレーションを使用して変調される、
［Ｃ２６］に記載のコンピュータ可読記憶媒体。
［Ｃ２８］
前記波形のピーク対平均電力比（ＰＡＰＲ）を低減するために前記ＱＰＳＫコンスタレーションまたは前記１６−ＱＡＭコンスタレーションが選択される、
［Ｃ２７］に記載のコンピュータ可読記憶媒体。
［Ｃ２９］
前記コードは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
［Ｃ２７］に記載のコンピュータ可読記憶媒体。
［Ｃ３０］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ２５］に記載のコンピュータ可読記憶媒体。
【図１】
0006553190.tif 000003
【図２】
0006553190.tif 000004
【図３】
0006553190.tif 000005
【図４】
0006553190.tif 000006
【図５】
0006553190.tif 000007
【図６】
0006553190.tif 000008
【図７】
0006553190.tif 000009